(57)【特許請求の範囲】
【請求項１】
トイレットペーパーロールを保持するためのトイレットペーパーロールホルダ組立品であって、
複数のポリプロピレン製折り曲げ可能シートを備え、
各前記折り曲げ可能シートは、ほぼ長方形に形成されており、その長手方向の一方の端の近くに、前記折り曲げ可能シートの一つの縁の近くで各前記折り曲げ可能シートの表面を部分的に切り出すことにより形成されている突片を備え、前記折り曲げ可能シートの他の端の近くには前記突片に対応する第１の切れ目が開けられており、
各前記折り曲げ可能シートを丸めてその縁を、前記突片を前記第１の切れ目に差し込むことによって構成される第１の突片・切れ目結合によって互いに結合し、
前記突片と前記第１の切れ目との間における任意の位置に、前記第１の切れ目とほぼ平行に第２の切れ目が形成されており、前記第１の切れ目に差し込まれて前記折り曲げ可能シートの他の表面から突出している前記突片を、前記第１の突片・切れ目結合によって丸められた状態とされている他の前記折り曲げ可能シートに設けられている前記第２の切れ目と係合させることにより構成される第２の突片・切れ目結合によって、一の前記折り曲げ可能シートが他の前記折り曲げ可能シートと係合され、
各前記折り曲げ可能シートは折り曲げられた状態で、前記トイレットペーパーロールを保持するための閉じられた空間を形成し、
前記第１及び第２の突片・切れ目結合は、前記トイレットペーパーロールホルダを自在に組み立て、又は分解することを可能としている、
トイレットペーパーロールホルダ組立品。
【請求項２】
トイレットペーパーロールを保持するためのトイレットペーパーロールホルダ組立品であって、
複数のポリプロピレン製折り曲げ可能シートと、折り曲げられた状態の前記折り曲げ可能シートを支持するための支持シートとを備え、
各前記折り曲げ可能シートは、ほぼ長方形に形成されており、その長手方向の一方の端の近くに、前記折り曲げ可能シートの一つの縁の近くで各前記折り曲げ可能シートの表面を部分的に切り出すことにより形成されている突片を備え、前記折り曲げ可能シートの他の端の近くには前記突片に対応する第１の切れ目が開けられており、
各前記折り曲げ可能シートを丸めてその縁を、前記突片を前記第１の切れ目に差し込むことによって構成される第１の突片・切れ目結合によって互いに結合し、
前記支持シートの任意の位置に、前記第１の切れ目と同様の第２の切れ目が形成されており、前記第１の切れ目に差し込まれて前記折り曲げ可能シートの他の表面から突出している前記突片を、前記支持シートに設けられている前記第２の切れ目と係合させることにより構成される第２の突片・切れ目結合によって、一の前記折り曲げ可能シートが前記支持シートに係合され、
各前記折り曲げ可能シートは折り曲げられた状態で、前記トイレットペーパーロールを保持するための閉じられた空間を形成し、
前記第１及び第２の突片・切れ目結合は、前記トイレットペーパーロールホルダを自在に組み立て、又は分解することを可能としている、
トイレットペーパーロールホルダ組立品。
【請求項３】
請求項１又は２に記載のトイレットペーパーロールホルダ組立品であって、
各前記折り曲げ可能シートの表面は印刷された形態を備え、好適には前記折り曲げられた前記折り曲げ可能シートへの印刷の組み合わせが、グラフィックパターン又はデザインを形成し、好適には前記グラフィックパターン又はデザインは、一年分又は一月分のカレンダー、商業広告又は商標、筆記文字、又はそれらの組み合わせである、
トイレットペーパーロールホルダ組立品。
【請求項４】
請求項１ないし３に記載のトイレットペーパーロールホルダ組立品であって、
前記折り曲げ可能シート又は前記支持シートは、水洗い可能であって洗剤に対する耐久性を備えている、
トイレットペーパーロールホルダ組立品。
【請求項５】
トイレットペーパーロールを保持するためのトイレットペーパーロールホルダ組立品を組み立てるためのキットであって、
複数のポリプロピレン製折り曲げ可能シートを備え、
各前記折り曲げ可能シートは、ほぼ長方形に形成されており、その長手方向の一方の端の近くに、前記折り曲げ可能シートの一つの縁の近くで各前記折り曲げ可能シートの表面を部分的に切り出すことにより形成されている突片を備え、前記折り曲げ可能シートの他の端の近くには前記突片に対応する第１の切れ目が開けられており、
各前記折り曲げ可能シートを丸めてその縁を、前記突片を前記第１の切れ目に差し込むことによって構成される第１の突片・切れ目結合によって互いに結合されるように構成され、
前記突片と前記第１の切れ目との間における任意の位置に、前記第１の切れ目とほぼ平行に第２の切れ目が形成されており、前記第１の切れ目に差し込まれて前記折り曲げ可能シートの他の表面から突出している前記突片を、前記第１の突片・切れ目結合によって丸められた状態とされている他の前記折り曲げ可能シートに設けられている前記第２の切れ目と係合させることにより構成される第２の突片・切れ目結合によって、一の前記折り曲げ可能シートが他の前記折り曲げ可能シートと係合するように構成され、
各前記折り曲げ可能シートは折り曲げられた状態で、前記トイレットペーパーロールを保持するための閉じられた空間を形成するように構成されている、
キット。
【請求項６】
トイレットペーパーロールを保持するためのトイレットペーパーロールホルダ組立品を組み立てるためのキットであって、
一又は複数のポリプロピレン製折り曲げ可能シートと、前記折り曲げ可能シートを支持するための支持シートとを備え、
各前記折り曲げ可能シートは、ほぼ長方形に形成されており、その長手方向の一方の端の近くに、前記折り曲げ可能シートの一つの縁の近くで各前記折り曲げ可能シートの表面を部分的に切り出すことにより形成されている突片を備え、前記折り曲げ可能シートの他の端の近くには前記突片に対応する第１の切れ目が開けられており、
各前記折り曲げ可能シートを丸めてその縁を、前記突片を前記第１の切れ目に差し込むことによって構成される第１の突片・切れ目結合によって互いに結合するように構成され、
前記支持シートの任意の位置に、前記第１の切れ目と同様の第２の切れ目が形成されており、前記第１の切れ目に差し込まれて前記折り曲げ可能シートの他の表面から突出している前記突片を、前記支持シートに設けられている前記第２の切れ目と係合させることにより構成される第２の突片・切れ目結合によって、一の前記折り曲げ可能シートが前記支持シートと係合するように構成され、
各前記折り曲げ可能シートは折り曲げられた状態で、前記トイレットペーパーロールを保持するための閉じられた空間を形成するように構成されている、
キット。
【発明の詳細な説明】
【技術分野】
【０００１】
本発明は、トイレットペーパーロールホルダに係わり、特に、自在に組み立て、また分解することのできる規格部品組み立て式トイレットペーパーロールホルダに関する。
【背景技術】
【０００２】
様々なトイレット用品が、世界中のあらゆる家庭の、及び公共の手洗い所で一般に使用されており、わけてもそのような用品には、必需品であり日用されるペーパーロールが含まれる。そこで、ペーパーロール格納及び保持器具がこれまで多数開発されてきている。その多くは完成品としての最終形態が予め与えられており、多くは硬い金属材料、又はある程度の柔軟性を有する布、あるいはその両者の組み合わせで作られている。
【発明の概要】
【発明が解決しようとする課題】
【０００３】
しかし、本発明は、ペーパーロール格納及び保持器具を提供するために、製造及び成形の容易性と固有の柔軟性とにおける合成材料の利点を活用している。このような器具は、その部品から簡単に組み立てられ、かつまた簡単に分解されることにより、エンドユーザの特別な要求や好みに従って、カスタマイズが可能である格納及び保持器具を提供する。
【０００４】
そこで、本発明の一つの目的は、自在に組み立てたり、分解したりされるトイレットペーパーロールホルダ組立品を提供することである。
【０００５】
本発明の他の目的は、柔軟性のある合成材料で製作されるトイレットペーパーロールホルダ組立品を提供することである。
【０００６】
本発明の他の目的は、印刷可能な合成材料で製作されるトイレットペーパーロールホルダ組立品を提供することである。
【０００７】
本発明の他の目的は、水洗いすることができ、洗剤に対する耐久性を有するトイレットペーパーロールホルダ組立品を提供することである。
【０００８】
本発明の他の目的は、ロールを必要な数だけ追加することができるトイレットペーパーロールホルダを提供することである。
【０００９】
本発明の他の目的は、複数の異なる図柄を作り出し、それらを好きな順序で配列することができるように、複数の異なる組み合わせを構成することができるトイレットペーパーロールホルダを提供することである。
【００１０】
本発明の他の目的は、トイレットペーパーロールホルダ組立品の組み立て方法を提供することである。
【００１１】
本発明のこの他の目的は、説明を進めるにつれて明らかとなろう。
【課題を解決するための手段】
【００１２】
本発明は、自在に組み立て、又は分解されるトイレットペーパーロールホルダ組立品を提供する。
【００１７】
本発明の他の実施例によれば、単一の突片が前記折り曲げ可能シートの一つの縁の近くで部分的に切り出され、前記折り曲げ可能シートの反対側の縁にある切れ目と、他の折り曲げ可能シートの下方部分で所定の位置にある切れ目、又は支持シートにある切れ目のいずれかの両方に結合されている。前記突片は前記切れ目に差し込むのに適しており、それにより前記折り曲げ可能シートの縁を互いに固定し、折り曲げたシートを他の折り曲げたシート又は前記支持シートに係合させる。
【００１９】
本発明の他の態様では、前記折り曲げ可能シート及び前記支持シートは、特にポリプロピレン、ポリエチレン、ポリウレタンであるビニルポリマー、特にポリ塩化ビニル（ＰＶＣ）であるビニルポリマー、特にポリスチレンであるスチレンポリマー、ポリエチレンテレフタレート、エラストマー、あるいは前記のいずれかの組み合わせからなるグループから選択した合成材料から別個に形成されている。
【００２０】
本発明の一実施例では、前記折り曲げ可能シート及び前記支持シートは、印刷可能な合成材料から形成されている。
【００２１】
本発明の他の実施例では、印刷した前記折り曲げ可能シートの組み合わせ、あるいは印刷した前記折り曲げ可能シートと前記支持シートとの組み合わせが、グラフィックパターン、デザイン、筆記文字、書、色、あるいはこれらのいずれかの組み合わせを形成する。
【００２２】
本発明のさらに他の実施例では、前記折り曲げ可能シート及び前記支持シートは水洗い可能であり、洗剤に対する耐久性を備えている。
【００２３】
本発明の一実施例では、前記折り曲げ可能シートは弾性合成材料から形成され、前記弾性合成材料は、前記折り曲げ可能シートが折り曲げられた状態で形成する閉じた空間に収納するペーパーロールの寸法に従って前記折り曲げ可能シートが伸縮することを可能とする。
【００２４】
本発明のさらに他の実施例では、前記折り曲げ可能弾性シートが網状に形成されている。
【００２７】
本発明の一態様では、各折り曲げ可能シートは、前記組立品から個別に取り外して他の折り曲げ可能シートと交換することができる。
【００２８】
本発明のさらに他の態様では、前記トイレットペーパーロールホルダ組立品は、特に限定されない数の折り曲げ可能シートを折り曲げられた状態で備え、いずれの折り曲げ可能シートも、前記組立品において個別に再配置し、あるいは異なる折り曲げ可能シートと交換することができる。
【００２９】
本発明の特定の一実施例によるトイレットペーパーロールホルダ組立品は、トイレットペーパーロールを保持するためのトイレットペーパーロールホルダ組立品であって、複数のポリプロピレン製折り曲げ可能シートを備え、各前記折り曲げ可能シートは、ほぼ長方形に形成されており、その長手方向の一方の端の近くに、前記折り曲げ可能シートの一つの縁の近くで各前記折り曲げ可能シートの表面を部分的に切り出すことにより形成されている突片を備え、前記折り曲げ可能シートの他の端の近くには前記突片に対応する第１の切れ目が開けられており、各前記折り曲げ可能シートを丸めてその縁を、前記突片を前記第１の切れ目に差し込むことによって構成される第１の突片・切れ目結合によって互いに結合し、前記突片と前記第１の切れ目との間における任意の位置に、前記第１の切れ目とほぼ平行に第２の切れ目が形成されており、前記第１の切れ目に差し込まれて前記折り曲げ可能シートの他の表面から突出している前記突片を、前記第１の突片・切れ目結合によって丸められた状態とされている他の前記折り曲げ可能シートに設けられている前記第２の切れ目と係合させることにより構成される第２の突片・切れ目結合によって、一の前記折り曲げ可能シートが他の前記折り曲げ可能シートと係合され、各前記折り曲げ可能シートは折り曲げられた状態で、前記トイレットペーパーロールを保持するための閉じられた空間を形成し、前記第１及び第２の突片・切れ目結合は、前記トイレットペーパーロールホルダを自在に組み立て、又は分解することを可能としている。
【００３０】
本発明の特定の一実施例によるトイレットペーパーロールホルダ組立品は、複数のポリプロピレン製折り曲げ可能シートと、折り曲げられた状態の前記折り曲げ可能シートを支持するための支持シートとを備え、各前記折り曲げ可能シートは、ほぼ長方形に形成されており、その長手方向の一方の端の近くに、前記折り曲げ可能シートの一つの縁の近くで各前記折り曲げ可能シートの表面を部分的に切り出すことにより形成されている突片を備え、前記折り曲げ可能シートの他の端の近くには前記突片に対応する第１の切れ目が開けられており、各前記折り曲げ可能シートを丸めてその縁を、前記突片を前記第１の切れ目に差し込むことによって構成される第１の突片・切れ目結合によって互いに結合し、前記支持シートの任意の位置に、前記第１の切れ目と同様の第２の切れ目が形成されており、前記第１の切れ目に差し込まれて前記折り曲げ可能シートの他の表面から突出している前記突片を、前記支持シートに設けられている前記第２の切れ目と係合させることにより構成される第２の突片・切れ目結合によって、一の前記折り曲げ可能シートが前記支持シートに係合され、各前記折り曲げ可能シートは折り曲げられた状態で、前記トイレットペーパーロールを保持するための閉じられた空間を形成し、前記第１及び第２の突片・切れ目結合は、前記トイレットペーパーロールホルダを自在に組み立て、又は分解することを可能としている。
【００３１】
本発明のさらに他の実施例によるトイレットペーパーロールホルダ組立品では、各前記折り曲げ可能シートの表面は印刷された形態を備え、好適には前記折り曲げられた前記折り曲げ可能シートへの印刷の組み合わせが、グラフィックパターン又はデザインを形成し、好適には前記グラフィックパターン又はデザインは、一年分又は一月分のカレンダー、商業広告又は商標、筆記文字、又はそれらの組み合わせである。
【００３４】
本発明のさらに他の態様により提供されるトイレットペーパーロールホルダの製造方法では、前記折り曲げ可能シート及び前記支持シートは合成材料で形成されている。
【００４２】
本発明のさらに他の態様により提供される、トイレットペーパーロールを保持するためのトイレットペーパーロールホルダ組立品を組み立てるためのキットは、複数のポリプロピレン製折り曲げ可能シートを備え、各前記折り曲げ可能シートは、ほぼ長方形に形成されており、その長手方向の一方の端の近くに、前記折り曲げ可能シートの一つの縁の近くで各前記折り曲げ可能シートの表面を部分的に切り出すことにより形成されている突片を備え、前記折り曲げ可能シートの他の端の近くには前記突片に対応する第１の切れ目が開けられており、各前記折り曲げ可能シートを丸めてその縁を、前記突片を前記第１の切れ目に差し込むことによって構成される第１の突片・切れ目結合によって互いに結合されるように構成され、前記突片と前記第１の切れ目との間における任意の位置に、前記第１の切れ目とほぼ平行に第２の切れ目が形成されており、前記第１の切れ目に差し込まれて前記折り曲げ可能シートの他の表面から突出している前記突片を、前記第１の突片・切れ目結合によって丸められた状態とされている他の前記折り曲げ可能シートに設けられている前記第２の切れ目と係合させることにより構成される第２の突片・切れ目結合によって、一の前記折り曲げ可能シートが他の前記折り曲げ可能シートと係合するように構成され、各前記折り曲げ可能シートは折り曲げられた状態で、前記トイレットペーパーロールを保持するための閉じられた空間を形成するように構成されている。
【００４３】
本発明のさらに他の実施例で提供されるキットでは、一又は複数のポリプロピレン製折り曲げ可能シートと、前記折り曲げ可能シートを支持するための支持シートとを備え、各前記折り曲げ可能シートは、ほぼ長方形に形成されており、その長手方向の一方の端の近くに、前記折り曲げ可能シートの一つの縁の近くで各前記折り曲げ可能シートの表面を部分的に切り出すことにより形成されている突片を備え、前記折り曲げ可能シートの他の端の近くには前記突片に対応する第１の切れ目が開けられており、各前記折り曲げ可能シートを丸めてその縁を、前記突片を前記第１の切れ目に差し込むことによって構成される第１の突片・切れ目結合によって互いに結合するように構成され、前記支持シートの任意の位置に、前記第１の切れ目と同様の第２の切れ目が形成されており、前記第１の切れ目に差し込まれて前記折り曲げ可能シートの他の表面から突出している前記突片を、前記支持シートに設けられている前記第２の切れ目と係合させることにより構成される第２の突片・切れ目結合によって、一の前記折り曲げ可能シートが前記支持シートと係合するように構成され、各前記折り曲げ可能シートは折り曲げられた状態で、前記トイレットペーパーロールを保持するための閉じられた空間を形成するように構成されている。
【図面の簡単な説明】
【００４９】
【図１】図１は、支持シートを含まない自己支持トイレットペーパーロールホルダ組立品に使用される、折り曲げ可能シートの平面図である。
【図２】図２は、自己支持トイレットペーパーロールホルダ組立品の正面投影図である。
【図３】図３は、自己支持トイレットペーパーロールホルダ組立品の透視図である。
【図４】図４は、自己支持トイレットペーパーロールホルダ組立品の上面図である。
【図５】図５は、自己支持トイレットペーパーロールホルダ組立品に使用される、正確な寸法で描かれた折り曲げ可能シートの上面図である。
【図６】図６は、自己支持トイレットペーパーロールホルダ組立品の側面図であり、ペーパーロールを保持させた状態で、その使用法を説明している。
【図７】図７は、支持シートを有する支持されたトイレットペーパーロールホルダ組立品の後面側の透視図である。
【図８】図８は、支持シートを有する支持されたトイレットペーパーロールホルダ組立品の上面側の透視図であり、全部のシートが折り曲げられていない形態である。
【図９】図９は、支持シートを有する支持されたトイレットペーパーロールホルダ組立品の透視図である。
【図１０】図１０は、支持背部を有する支持されたトイレットペーパーロールホルダ組立品の側面図であり、複数のトイレットペーパーロールを保持している。
【図１１】図１１は、一つの突片と二つの切れ目とを有する折り曲げ可能シートの上面図である。
【発明を実施するための形態】
【００５０】
図１は、本発明の特定の実施例であり、自己支持トイレットペーパーロールホルダ組立品に使用される折り曲げ可能シートを図示している。このシート１３は、規定の長さ及び幅を有する突片であり、前記係合手段が、前記シート１３の表面から、その下側縁に隣接して部分的にのみ切り出される半円形突片１５であることを特徴としている。
【００５１】
好適な切れ目１１は、前記折り曲げ可能シートの上側縁に近接して明けられており、その切れ目を通して前記突片を差し込むことができる長さ及び幅とされている。いったん前記シートを丸めるように折り曲げれば、このような突片−切れ目結合により、前記シートを折り曲げられた構成で固定することが可能となり、それによって、ペーパーロールを楽に差し入れることができる円筒形の閉じた空間が形成される。前記シートの下側部分にある切れ目１４は、ただ切れ目を通して前記突片１２を差し込んで固定することにより、一つの折り曲げられたシートを隣のシートに係合させるのに使用される。このようにして、本質的に自己支持である折り曲げられたシートの連続した鎖を、ユーザの希望及び必要に応じて形成することができる。このような鎖は、簡単に組み立てて、また分解することができる。さらに、前記シートに、例えば模様、色や文字を印刷すれば、種々の組み合わせでそれらのシートの組み立てを行うことができ、エンドユーザの好みとスタイル、あるいは特定の希望する組み合わせに従って適合させることができる。
【００５２】
図２に、トイレットペーパーロールホルダ組立品の後面側の投影図を示している。半円形突片２１は、上側にある折り曲げられたシート２２の切れ目に差し込まれて、このシートを固定している。図２の要素２３は、折り曲げられた状態にある下側折り曲げ可能シートの突片−切れ目結合と、図１に符号１４で示される切れ目に差し込まれた図１の符号１２で示される第２の突片を用いた突片−切れ目結合によって実現される前記下側シートの前記上側シートへの係合との両方を表している。要素２４は、前記下側折り曲げ可能シートの下側部分にある切れ目であり、突片−切れ目結合を用いて他の折り曲げられたシートを係合させるのに使用することができる。
【００５３】
図３及び図４は、それぞれ、二つの円筒を備える自己支持トイレットペーパーロールホルダの上面透視図、及び側面透視図を示している。図３、図４のいずれも、前記シートを折り曲げられた状態で固定し、一つの折り曲げられたシートを次のシートに係合させる、すなわち符号３２を符号３４に、符号４３を符号４４に係合させるのに使用される係合用半円形突片３１，４１、及び４２を示している。要素４２はまた、下側にある折り曲げられたシート４３の、上側にある折り曲げられたシート４４への係合を示している。これらの折り曲げられたシートは、それぞれ、ペーパーロールを楽に格納することができる閉じた円筒形の空間３３、４５及び４６を形成している。
【００５４】
図５に、折り曲げ可能シート５２についての特定の大きさ及び寸法とその特徴を示しており、すなわち、シートの長さ及び幅、前記シートを折り曲げられた状態で固定するために半円形突片５４及び切れ目５１、及び前記シートの下側部分にあり、一つの折り曲げられたシートを隣のシートに係合させるために使用される切れ目５３の長さが示されている。
【００５５】
図６は、この組立品の使用法を説明するもので、前記折り曲げられたシート６１、６４によって形成される閉じた空間にペーパーロール６２、６４が格納されている状態で、前記組立品の側面図を示している。
【００５６】
本発明の他の特定の実施例は、前記シート７２を折り曲げられた状態で固定し、折り曲げられた状態の前記シートを前記支持シートに係合させるために、それぞれ前記シートの他の縁にある切れ目と、前記支持シートにある切れ目とに結合している半円形突片を有する、折り曲げられていない状態の折り曲げ可能シートを有する。本実施例では、全部の折り曲げられた折り曲げ可能シートが支持シートに係合されている。丸孔は、本トイレットペーパーロールホルダをなんらかの適当なラック、アンカー、あるいはフックに引っかけるのに用いられる。
【００５７】
支持されたトイレットペーパーロールホルダ組立品の後面側平面投影図を図７に示している。突片−切れ目結合９２が、前記支持シート９１の後面から外へ突出しており、前記シートを折り曲げられた状態で固定し、あるいはそれぞれを前記支持シート９１に係合させている。丸孔９３は、本トイレットペーパーロールホルダをなんらかの適当なラック、アンカー、あるいはフックに引っかけるのに用いられる。図８は、図７に示した本組立品の、折り曲げる前の構成を示す平面図であり、全部の折り曲げ可能シート１０２、１０３、及び１０４が折り曲げられていない状態で、支持シート１０１の上に現れている。丸孔１０５は、本トイレットペーパーロールホルダをなんらかの適当なラック、アンカー、あるいはフックに引っかけるのに用いられる。
【００５８】
最後に、図９及び図１０は、それぞれ、支持されたトイレットペーパーロールホルダ組立品の透視図及び側面図であり、折り曲げられたシート、例えば図９の符号１１３、１１４、及び１１５、図１０の１２２に係合している支持シート１１１、１２１を図示している。このような折り曲げられたシートの閉じた構成は、閉じた円筒形の空間、例えば図１０の符号１２３を形成し、そこにトイレットペーパーロール１２４を楽に差し入れて保管する。丸孔１１６は、本トイレットペーパーロールホルダをなんらかの適当なラック、アンカー、あるいはフックに引っかけるのに用いられる。
【００５９】
図１１は、シートの一つの縁の近くに配置された単独突片１３２、前記突片１３２と反対の縁の近くに配置された切れ目１３３、及び前記シートの下側部分に配置された切れ目１３４の形態をとっている係合手段を有する折り曲げ可能シート１３１を模式的に示している。自己支持トイレットペーパーロールホルダを組み立てるとき、いったんシート１３１を丸めて、前記突片１３２を前記切れ目１３３に差し込むことにより、突片１３２が反対側の縁で前記切れ目１３３に結合される。そして、シート１３１を折り曲げた状態で他の折り曲げられたシートに係合させると、同じ突片１３２が、前記他の折り曲げられたシートの下側部分に配置された切れ目１３４に結合する。あるいは、前記組立品が支持されたものである場合には、突片１３２を前記切れ目に差し込むことによって、前記支持シートにおいて、突片１３２を切れ目に結合させる。それによって折り曲げられたシート１３１が前記支持シートに係合する。
【００６０】
本発明を、その好適実施例に関して説明したが、理解されるように、当業者は本発明の範囲内で、その形態や詳細を変更することができる。
【図１】
0005580597.tif 000002
【図２】
0005580597.tif 000003
【図３】
0005580597.tif 000004
【図４】
0005580597.tif 000005
【図５】
0005580597.tif 000006
【図６】
0005580597.tif 000007
【図７】
0005580597.tif 000008
【図８】
0005580597.tif 000009
【図９】
0005580597.tif 000010
【図１０】
0005580597.tif 000011
【図１１】
0005580597.tif 000012
【図１２】
0005580597.tif 000013
【図１３】
0005580597.tif 000014